(57)【特許請求の範囲】
【請求項１】
下端面の長さ方向にガイド溝を凹設し、床面との間に隙間を開けた状態で開閉方向に移動自在に吊持した引戸を、開閉時に横振れしないように案内する引戸ガイド装置において、
引戸が移動する軌跡下の床面に間隔を置いて凹設した複数の取付穴に磁性体のガイド突起を出没自在に挿設した床側ガイドと、前記ガイド溝に内設した扉側ガイドとからなり、
該扉側ガイドは、前記ガイド溝の両端部に嵌め込んで磁力により前記ガイド突起を吸引して立ち上がらせる一対の磁着手段と、前記ガイド溝内の前記磁着手段間に敷設し、立ち上がった前記ガイド突起を係合するガイドレールとからなり、
前記磁着手段は、底部に昇降口を開けた収納ケースと、該収納ケース内で基端部を枢支して揺動自在に片持ちした吸着台と、該吸着台に付設した磁石とを備え、前記吸着台を、その先端の当接部が前記昇降口から所定高さ突出する傾き角度位置で前記収納ケースに係止してなることを特徴とする、引戸ガイド装置。
【請求項２】
前記磁着手段は、前記磁石を前記吸着台の上に滑動自在に載置してなることを特徴とする、請求項１に記載の引戸ガイド装置。
【請求項３】
前記床側ガイドは、前記ガイド突起を、複数の凸状部材を入れ子式に重ねて組み入れて構成してなることを特徴とする、請求項１又は２に記載の引戸ガイド装置。
【請求項４】
前記ガイド突起は、最も内側の凸状部材を細長い磁性板材で形成し、その磁性板材の上端を屈曲させて前記ガイドレールに係合する係合板部を形成してなることを特徴とする、請求項３に記載の引戸ガイド装置。
【発明の詳細な説明】
【技術分野】
【０００１】
本発明は、上吊りした引戸を開閉時に開閉方向に対して横振れしないで直進するように案内する引戸ガイド装置に関する。
【背景技術】
【０００２】
従来、この種の引戸ガイド装置の中には、引戸が移動する軌跡下の床面に取付穴を凹設し、その取付穴に上端に磁石を有したガイドピンを上下動自在に挿設する一方、引戸の下端面に凹設した細長いガイド溝内に磁石を有した磁着体を配設し、開閉時、引戸側の磁着体が床側のガイドピン上に至ると、磁力によりガイドピンを引き上げてガイド溝に係合し、引戸が移動する開閉方向に対して横振れしないで直進するように案内する構造にしたものがある（特許文献１参照）。
【先行技術文献】
【特許文献】
【０００３】
【特許文献１】特開平  ８−３２６４０２号公報
【発明の概要】
【発明が解決しようとする課題】
【０００４】
一般に、引戸は、気密性に配慮した部屋であっても、床面との間に僅かに隙間が開いた状態で吊り込まれ、反対に通気性に配慮した部屋では、床面との間に隙間を大きく開けた状態で吊り込まれるなど、床面との間の隙間の大きさにバラツキがある。従って、上述した従来の引戸ガイド装置では、引戸と床面間の隙間が大きいために、引戸側の磁石と床側のガイドピンとが離れ過ぎると、磁力によりガイドピンを引き上げてガイド溝に係合することができない場合がある。従って、従来、そのような場合は、面倒なことに、わざわざ引戸を取り外して床面との間の隙間を調整する必要があるという課題があった。また、引戸側に備える磁石を大型で強磁性のものに取り替えて対処することも考えられるが、磁石は比較的高価であるため、それではコストが著しく高くなるという課題があった。
【０００５】
そこで、本発明の目的は、引戸と床面との間の隙間の大きさに違いがあっても、その隙間の調整や磁石の取り替えなどの必要がない安価な引戸ガイド装置を提供することにある。
【０００６】
そのため、請求項１に記載の発明は、たとえば以下に示す図示実施の形態のとおり、下端面１０ａの長さ方向にガイド溝１２を凹設し、床面ｆとの間に隙間ｄを開けた状態で開閉方向に移動自在に吊持した引戸１０を、開閉時に横振れしないように案内する引戸ガイド装置Ｒにおいて、引戸１０が移動する軌跡下の床面ｆに間隔を置いて凹設した複数の取付穴ｘ・ｙ・ｚに磁性体のガイド突起１５を出没自在に挿設した床側ガイドＧ１と、引戸１０の前記ガイド溝１２に内設した扉側ガイドＧ２とからなり、該扉側ガイドＧ２は、前記ガイド溝１２の両端部に嵌め込んで磁力により前記ガイド突起１５を吸引して立ち上がらせる一対の磁着手段２９・３０と、前記ガイド溝１２内の前記磁着手段２９・３０間に敷設し、立ち上がった前記ガイド突起１５を係合するガイドレール４０とからなり、前記磁着手段２９・３０は、底部３５ａに昇降口３２を開けた収納ケース３５と、該収納ケース３５内で基端部を枢支して揺動自在に片持ちした吸着台４５と、該吸着台４５に付設した磁石Ｍとを備え、前記吸着台４５を、その先端の当接部４５ｂが前記昇降口３２から所定高さｈ突出する傾き角度位置で前記収納ケース３５に係止してなることを特徴とする。
【０００７】
請求項２に記載の発明は、請求項１に記載の引戸ガイド装置Ｒにおいて、たとえば以下に示す図示実施の形態のとおり、前記磁着手段２９・３０は、前記磁石Ｍを前記吸着台４５の上に滑動自在に載置してなることを特徴とする。
【０００８】
請求項３に記載の発明は、請求項１又は２に記載の引戸ガイド装置Ｒにおいて、たとえば以下に示す図示実施の形態のとおり、前記床側ガイドＧ１は、前記ガイド突起１５を、複数の凸状部材２３・２４・２５を入れ子式に重ねて組み入れて構成してなることを特徴とする。
【０００９】
請求項４に記載の発明は、請求項３に記載の引戸ガイド装置Ｒにおいて、たとえば以下に示す図示実施の形態のとおり、前記ガイド突起１５は、最も内側の凸状部材２５を細長い磁性板材で形成し、その磁性板材の上端を屈曲させて前記ガイドレール４０に係合する係合板部２５ａを形成してなることを特徴とする。
【発明の効果】
【００１０】
請求項１に記載の発明によれば、扉側ガイドにおいて磁着手段の吸着台を、先端の当接部が収納ケースの昇降口から所定高さ突出する傾斜角度位置に傾けて保持し、その吸着台に付設した磁石が床面近くまで下がって待機するため、引戸が床面との間に大きな隙間を開けて吊り込まれていても、磁力により十分にガイド突起を吸引して立ち上げ、ガイドレールに確実に係合させることができる。従って、そのように引戸と床面との間の隙間が大きいために引戸側の磁石と床側のガイド突起とが離れ過ぎないように、例えば引戸をわざわざ取り外して床面との間の隙間の大きさを調整する面倒な作業が必要でなくなり、また、磁力が離れたガイド突起まで及ぶように、もともと高価な磁石をより大きな強磁性のものにわざわざ取り替える必要もなくなるため、それだけコストを著しく低減することができる。他方、引戸と床面との間の隙間が小さい場合には、磁着手段の吸着台は、先端の当接部が床面に当接するが、吸着台は、収納ケース内で基端部を枢支して揺動自在に片持ちして自由状態にあるため、開閉時、引戸が移動するときに摩擦抵抗が少なく先端の当接部において床面上をスリップしながら走行し、これにより、引戸と床面との間の隙間が小さい場合でも、引戸の走行の妨げになることなく、引戸を横振れしないように案内することができる。
【００１１】
請求項２に記載の発明によれば、磁着手段は、磁石を吸着台の上に滑動自在に載置するため、引戸が開閉方向に移動するとき、磁石がガイド突起を磁力で吸引して引き上げた状態のまま吸着台上を滑り上がる一方、滑り上がりきると、磁石は、自重により吸着台の傾きに従い滑り降りて元の吸着位置に戻って待機し、磁力によるガイド突起の引き上げに備えることができ、その結果、磁石は、吸着台上の全面にわたり形成する必要がなく、それだけ使用する磁石が小型で済む結果、コストを著しく低減することができる。
【００１２】
請求項３に記載の発明によれば、床側ガイドは、ガイド突起を、複数の凸状部材を入れ子式に重ねて組み入れて構成するため、引戸が床面との間に大きな隙間を開けて吊り込まれていても、引戸下端のガイドレールに係合する高さまで突出するのに十分なストロークを、必要な剛性も担保して確保することができる一方、ガイド突起を出し入れ自在に挿設する取付穴の深さも浅くて済むため、たとえ床材の厚さの範囲内に収まる浅い取付穴でもガイド突起を容易に設置することができる。
【００１３】
請求項４に記載の発明によれば、ガイド突起は、最も内側の凸状部材を細長い磁性板材で形成し、その磁性板材の上端を屈曲させてガイドレールに係合する係合板部を形成することにより、ガイド突起が加工し易くなり機械的強度も上げることができる。
【図面の簡単な説明】
【００１４】
【図１】本発明の引戸ガイド装置を示す斜視図である。
【図２】引戸ガイド装置を備えた引戸構造体を、下部側を一部断面にして引戸の全開状態で示す正面図である。
【図３】床側ガイドを示す分解斜視図である。
【図４】（Ａ）ガイド突起が収納状態の床側ガイドを示す平面図、（Ｂ）図４中線Ｘ−Ｘ断面図、（Ｃ）図４中線Ｙ−Ｙ断面図である。
【図５】（Ａ）ガイド突起が引き出されて突出状態の床側ガイドを示す平面図、（Ｂ）図５中線Ｘ−Ｘ断面図、（Ｃ）図５中線Ｙ−Ｙ断面図である。
【図６】磁着手段を示す分解組立図である。
【図７】（Ａ）磁着手段を示す平面図、（Ｂ）図７中線Ｚ−Ｚ断面図である。
【図８】磁着手段を、対向側板部の一側を破断して示す組立斜視図である。
【図９】（Ａ）引戸と床面間の隙間が大きい場合の吸着台の当接部の突出高さ位置を説明する概要図、（Ｂ）引戸と床面間の隙間が小さい場合の吸着台の当接部の突出高さ位置を説明する概要図である。
【図１０】扉側ガイドの磁石が床側ガイドのガイド突起に近づいたときの状態を示す引戸ガイド装置の部分縦断面図である。
【図１１】引戸を案内する動作を段階的に分けて示す引戸ガイド装置の部分縦断面図である。
【図１２】引戸構造体の下部側を、閉止途中の引戸を引戸ガイド装置で案内する状態において示す縦断面図である。
【図１３】引戸構造体の下部側を、全閉手前の引戸を引戸ガイド装置で案内する状態において示す縦断面図である。
【図１４】引戸構造体の下部側を引戸の全閉状態において示す縦断面図である。
【発明を実施するための形態】
【００１５】
以下、図面を参照しつつ、本発明の実施形態について説明する。
【００１６】
図１は、本発明の一例である引戸ガイド装置を示す斜視図、図２は引戸ガイド装置を備えた引戸構造体を引戸の全開状態で示す正面図である。図示例の引戸構造体は、天井側に固定した引戸レールに引戸１０を係合して図中左右の開閉方向に移動自在に懸架すると共に、引戸１０の下端面１０ａと床Ｆ（床面ｆ）との間に、例えば２０ｍｍの隙間ｄを開けて吊り込み、開閉時、ハンドル１１を持って引戸１０を開閉方向に移動して床Ｆと仕切壁Ｗで囲んだ開口部Ｓを開閉する構造になっている。そこで、開口部Ｓを引戸１０を移動して開閉するとき、本発明の引戸ガイド装置Ｒを作動し、開閉方向に走行する引戸１０を横振れしないで直進するように案内する。
【００１７】
引戸１０は、例えば木製パネルで、上下の横框と、左右の縦框と、各框間の縦桟および横桟とで格子状に組んだ枠体を間に挟んで一対の鏡板材を張り合わせて組み立て、下部側の横框には、下端面１０ａの長さ方向に沿ってガイド溝１２を凹設している。
【００１８】
引戸ガイド装置Ｒは、床Ｆに配設する床側ガイドＧ１と、引戸１０のガイド溝１２に内設する扉側ガイドＧ２とからなる。
【００１９】
床側ガイドＧ１は、複数のガイド体ａ・ｂ・ｃからなる。ガイド体ａ・ｂ・ｃは、図３、図４および図５に示すように、それぞれ取付ケース１４と、取付ケース１４に挿設するガイド突起１５と、スペーサ１６と、抜け止め具１７とを備えてなる。取付ケース１４は、樹脂製で、上下両端を開口した角筒状のケース本体部１４ａと、ケース本体部１４ａの上端に開いた突出口１８の周縁から鍔状に延びるフラットな取付板部１４ｂとからなる。ケース本体部１４ａは、１つの対向側部の内面にガイド凹部１４ｃを設けると共にガイド凹部１４ｃの上端縁に抜け止め段部１４ｄを残して成形してなる。更に、ケース本体部１４ａは、突出口１８と反対の部品挿入口１９が開いた下端面に、部品挿入口１９を間に挟んだ両側に一対のピン状突起１３を突設してなる。
【００２０】
ガイド突起１５は、それぞれ取付ケース１４のケース本体部１４ａに入れ子状に重ねて組み入れる角筒状の第１凸状部材２３と、第１凸状部材２３に入れ子状に重ねて組み入れる角筒状の第２凸状部材２４と、第２凸状部材２４に入れ子状に重ねて組み入れる板片状の第３凸状部材２５からなる。
【００２１】
第１凸状部材２３は、取付ケース１４のケース本体部１４ａに合わせて上下両端を開口した金属製の角筒体で、１つの対向側部の図中下端に鍔状の抜け止め凸部２３ａを外向きに突設する一方、他の対向側部の内面に第２凸状部材２４を摺動自在に嵌入するガイド凹部２３ｂを凹設すると共にガイド凹部２３ｂの上端縁に抜け止め段部２３ｃを残して成形してなる。
【００２２】
第２凸状部材２４は、第１凸状部材２３に合わせて上下両端を開口した金属製の角筒体で、１つの対向側部の図中下端に角状に一対の抜け止め凸部２４ａを外向きに突設する一方、同じ対向側部の内面に第３凸状部材２５を摺動自在に嵌入するガイド凹部２４ｂを凹設すると共にガイド凹部２４ｂの上端縁に抜け止め段部２４ｃを残して成形してなる。
【００２３】
第３凸状部材２５は、先端がＴ形をなす細長い金属の磁性板材を用い、その磁性板材の先端を直角に屈曲させて、引戸１０側の後述するガイドレール４０に係合する係合板部２５ａを先端に成形してなる。また、基端には、その端面に嵌め込み凹部２５ｂを設けると共に嵌め込み凹部２５ｂを間に挟んだ両側に一対の抜け止め凸部２５ｃを互いに離れる向きに突設してなる。スペーサ１６は、樹脂材で略コ形に成形し、矩形なガイド板部１６ａの上下両端に直角に屈曲した一対の押え凸部１６ｂを突設してなる。抜け止め具１７は、支えバー１７ａの両端に、取付ケース１４のピン状突起１３を嵌着する小径なリング部１７ｂを設けてなる。
【００２４】
そこで、ガイド体ａ・ｂ・ｃは、取付ケース１４内に部品挿入口１９から、ガイド突起１５の第１凸状部材２３を入れて、抜け止め凸部２３ａをガイド凹部１４ｃに嵌入し、第１凸状部材２３をケース本体部１４ａに入れ子状に重ねて突出口１８から出没自在に取付ケース１４に組み入れる。一方、第２凸状部材２４内に部品挿入口２７から第３凸状部材２５を入れて、抜け止め凸部２５ｃをガイド凹部２４ｂに嵌入し、第３凸状部材２５を第２凸状部材２４に入れ子状に重ねて組み入れ、それから、スペーサ１６を同じ部品挿入口２７から第２凸状部材２４内に入れて、第３凸状部材２５と、第３凸状部材２５と向き合う第２凸状部材２４の片側側部との間に差し込み、その片側側部に押え凸部１６ｂが押し当たるガイド板部１６ａと、第２凸状部材２４のガイド凹部２４ｂとの間で、第３凸状部材２５を摺動自在に挟持して突出口３１から直立状態で出没可能に位置決め保持する。次いで、そのように第３凸状部材２５を保持した第２凸状部材２４を、部品挿入口２９から第１凸状部材２３内に入れて、抜け止め凸部２４ａをガイド凹部２３ｂに嵌入し、第３凸状部材２５が突出口３１から出没自在に第２凸状部材２４を第１凸状部材２３内に入れ子状に重ねて組み入れる。以って、第１、第２、第３の凸状部材２３・２４・２５を入れ子式に重ねて組み入れて、ガイド突起１５を組み立てる。
【００２５】
それから、取付ケース１４には、ピン状突起１３に抜け止め具１７のリング部１７ｂを係合し、第３凸状部材２５の嵌め込み凹部２５ｂと、第１凸状部材２３、第２凸状部材２４およびスペーサ１６の各嵌め込み凹部２３ｄ・２４ｄ・１６ｃを嵌め込んで受け止めから、ピン状突起１３を潰して抜け止め具１７を固定する。以って、取付ケース１４の部品挿入口１９を抜け止め具１７で抜け止めし、ケース本体部１４ａ内に第１、第２、第３の凸状部材２３・２４・２５を、３段の入れ子式に重ねて突出口３１・２８・１８から順に出没自在に組み入れ、ガイド体ａと・ｂ・ｃをそれぞれ組み立ててなる。
【００２６】
ガイド体ａ・ｂ・ｃは、図１および図２に示すように、それぞれ取付ケース１４のケース本体部１４ａを、引戸１０が移動する軌跡下の床面ｆに間隔を置いて予め凹設した取付穴ｘ・ｙ・ｚに嵌め込み、取付板部１４ｂを床面ｆにねじ止めして床面ｆと殆ど段差なく挿設し、以って、戸先側のガイド体ａと中間のガイド体ｂと戸尻側のガイド体ｃとで床側ガイドＧ１を構成する。
【００２７】
一方、扉側ガイドＧ２は、ガイド溝１２の両端部に内設する一対の磁着手段２９・３０と、ガイド溝１２内で磁着手段２９・３０間に敷設するガイドレール４０とからなる。
【００２８】
磁着手段２９・３０は、収納ケース３５と、収納ケース３５に収納する吸着台４５と、吸着台４５に付設する矩形板状の磁石Ｍを備える。
【００２９】
収納ケース３５は、ガイド溝１２の溝形状に合わせて細長い直方形状の箱体で、図６、図７および図８に示すように、上側に吸着台４５の取付ロ３４を開けると共に、底部３５ａに昇降口３２を開け、長さ方向一端にねじ止め用のボス部３５ｂを設ける一方、他端側には、対向側板部３５ｃの上側からつの状に一対の連結凸部３５ｄを突設し、下側に互い内向きにＬ状に屈曲した一対の係合リブ３５ｅを設けてなる。さらに、対向側板部３５ｃの他端側には、その間を横断する向きに軸穴３８を設けている。そして、ボス部３５ｂの下端の昇降口３２側には、吸着台４５の先端を係止する係止段部３５ｆを突設してなる。
【００３０】
吸着台４５は、素材として樹脂材料を用い、磁石Ｍを滑動自在に案内するガイド凹部４５ａを設けて滑り台状に成形し、全体に表面を平滑に仕上げて滑りやすく形成してなる。更に、吸着台４５は、基端部に、枢軸５０を幅方向に貫挿する軸穴３３を設ける一方、先端にショベル状の当接部４５ｂを設け、その当接部４５ｂの上端に軸穴３３と平行な係止軸４５ｃを設けてなる。ガイド凹部４５ａには、幅方向に対向する側壁の上縁に、磁石Ｍの飛び出しを規制する押えリブ４５ｄを互いに向き合う方向に突設してなる。
【００３１】
そこで、磁着手段２９・３０は、収納ケース３５と吸着台４５の軸穴３８・３３に枢軸５０を貫挿し、枢軸５０で収納ケース３５に基端部を枢支して吸着台４５を収納ケース３５内で揺動自在に片持ちする一方、係止軸４５ｃを係止段部３５ｆに係止して先端の当接部４５ｂが昇降口３２から所定高さｈ（例えば１０ｍｍ）突出する傾き角度位置に保持する。そして、吸着台４５には、ガイド凹部４５ａの底面３７の上に磁石Ｍを滑動自在に載置して組み立ててなる。
【００３２】
ガイドレール４０は、図１に示すように、略角パイプ状をなすレール本体４０ａの下面中央に長さ方向に沿って逃げ溝３９を設け、逃げ溝３９を挟んだ両側に係合リブ４０ｂを平行に列設する。一方、レール本体４０ａの上板部４０ｃには、幅方向両側の角縁を磁着手段２９・３０の連結凸部３５ｄの凸形状に合わせて屈曲させて連結用の係合段部４０ｄを形成している。
【００３３】
そこで、扉側ガイドＧ２は、ガイド溝１２の両端部内に互いの連結凸部３５ｄを向き合わせて磁着手段２９・３０を嵌め込み、ボス部３５ｂを溝底面にねじ止めしてから、磁着手段２９・３０の連結凸部３５ｄにガイドレール４０の係合段部４０ｄを係合し、互いの係合リブ３５ｅ・４０ｂを一直線に合わせた状態で、ガイドレール４０を磁着手段２９・３０に連結し、上板部４０ｃを溝底面にねじ止めして組み立ててなる。以って、扉側ガイドＧ２をガイド溝１２に内設する。
【００３４】
従って、引戸ガイド装置Ｒは、図示例のように、引戸１０が下端面１０ａと床Ｆ（床面ｆ）との間に大きく２０ｍｍの隙間ｄを開けて吊り込まれている場合は、図９（Ａ）および図１０に示すように、扉側ガイドＧ２において、磁着手段２９・３０の吸着台４５を、先端の当接部４５ｂが昇降口３２から高さｈ＝１０ｍｍ突出した傾斜角度位置に傾けて保持し、磁石Ｍを、吸着台４５の当接部４５ｂ上の吸着位置に載せた状態で、床面ｆの近くまで（例えば床面ｆまで略１０ｍｍの高さまで）下がって待機させてなる。
【００３５】
そこで、引戸ガイド装置Ｒは、引戸１０が開閉方向に移動して開口部Ｓを開閉するとき、扉側ガイドＧ２において、磁着手段２９・３０が床側ガイドＧ１のガイド体（ａ・ｂ・ｃ）に近づいて、図１１（Ａ）に示すように、吸着台４５の当接部４５ｂの上に載った磁石Ｍが床側ガイドＧ１（ガイドａ・ｂ・ｃ）のガイド突起１５の上に至ると、磁力が働いて磁性体からなる内側の第３の凸状部材２５が第２凸状部材２４から引き上がる。第３凸状部材２５が引き上がると、抜け止め凸部２５ｃが抜け止め段部２４ｃに係止し［図５（Ｂ）・（Ｃ）参照］、中間の第２凸状部材２４が第１凸状部材２３から、図１１（Ｂ）に示すように立ち上がり、すると、図３に示す抜け止め凸部２４ａが抜け止め段部２３ｃに係止し、外側の第１凸状部材２３が取付ケース１４から、図１１（Ｃ）に示すように入れ子式に立ち上がる。すると、そのとき引戸１０が開閉方向に移動するに従い、磁石Ｍがガイド突起１５を吸引し引き上げた状態で吸着台４５の底面３７を滑り上がり、すると、第３凸状部材２５の係合板部２５ａが磁着手段２９（３０）の昇降口３２を通って係合リブ３５ｅに係合し、さらに図１１（Ｄ）に示すように、ガイドレール４０の係合リブ４０ｂに係合することにより、引戸１０が走行する開閉方向に対して横振れしないで直進するように案内する構造になっている。
【００３６】
従って、引戸ガイド装置Ｒでは、床側ガイドＧ１（ガイド体ａ・ｂ・ｃ）のガイド突起１５を複数の凸状部材２３・２４・２５を入れ子式に重ねて組み入れて構成するから、引戸１０が床面ｆとの間に大きな隙間ｄを開けて吊り込まれていても、引戸下端のガイドレール４０に係合する高さまで突出するのに十分なストロークを、必要な剛性も担保して確保することができる一方、ガイド突起１５を出し入れ自在に挿設する取付穴ｘ・ｙ・ｚの深さも浅くて済むため、たとえ床材の厚さの範囲内に収まる浅い取付穴でも容易にガイド突起１５を設置することができる。
【００３７】
さて、図示例の引戸構造体では、閉時、図２に示すように開口部Ｓを全開した引戸１０を、ハンドル１１を持って矢示する閉方向に引くと、引戸レールの案内で戸車を転動しながら閉方向に引戸１０が動き出して開口部Ｓを閉じ始めるが、この閉止途中、引戸ガイド装置Ｒは、図１２に示すように、床側ガイドＧ１の中間ガイド体ｂにおいて、入れ子状に立ち上がったガイド突起１５の第３凸状部材２５の係合板部２５ａがガイドレール４０の係合リブ４０ｂに係合し、引戸１０が走行する閉方向に対して横振れしないで直進するように案内する。
【００３８】
それから、引戸１０が閉方向にさらに直進し、扉側ガイドＧ２の戸先側磁着手段２９が床側ガイドＧ１の戸先側ガイド体ａに近づいて、図１１（Ａ）に示すように、吸着台４５の当接部４５ｂ上の吸着位置に載った磁石Ｍがガイド突起１５の上に至ると、磁力により第３凸状部材２５を吸引して引き上げ、すると順次、図１１（Ｂ）・（Ｃ）に示すように第２凸状部材２４と第１凸状部材２３が入れ子式に引き上げられ、ガイド突起１５が鉛直に立ち上がる。すると、そのとき引戸１０が閉方向に移動するに従い、磁石Ｍはガイド突起１５を立ち上げた状態で吸着台４５のガイド凹部４５ａ内で底面３７上を滑り上がり、図１３に示すように、立ち上がった第３凸状部材２５の係合板部２５ａを戸先側磁着手段２９の係合リブ３５ｅに係合してからガイドレール４０の係合リブ４０ｂに係合する一方、そのとき、ガイドレール４０の戸尻側で係合リブ４０ｂに係合した中間ガイド体ｂの第３凸状部材１５は、昇降口３２を通って戸尻側磁着手段３０の係合リブ３５ｅから外れる。従って、その後、引戸１０は、戸先側ガイド体ａのガイド突起１５の案内で横振れしないように直進し、図１４に示すように開口部Ｓを全閉する。
【００３９】
なお、引戸ガイド装置Ｒでは、引戸１０が開閉方向に移動するとき、磁石Ｍは、ガイド突起１５を磁力で吸引して引き上げ状態のまま吸着台４５の底面３７上を滑り上がるが、滑り上がってガイド凹部４５ａの上端溝壁に当たると、自重により吸着台４５の傾きに従い底面３７を滑り降りて元の吸着位置に戻って待機し、再び磁力によるガイド突起１５の引き上げに備えることができる。従って、引戸ガイド装置Ｒでは、吸着台４５の底面３７の全面にわたり磁石で形成する必要がなく、それだけ使用する磁石が小型で済む結果、コストも著しく低く抑えることができる。
【００４０】
ところで、引戸ガイド装置Ｒでは、引戸１０が床面ｆとの間に大きく２０ｍｍの隙間ｄを開けて吊り込まれていても、図９（Ａ）および図１０に示すように、扉側ガイドＧ２において磁着手段２９・３０の吸着台４５を、先端の当接部４５ｂが収納ケース３５の昇降口３２から高さｈ＝１０ｍｍ突出した傾斜角度位置に傾けて保持し、先端の当接部４５ｂ上に載った磁石Ｍが床面ｆまで残り１０ｍｍの高さの床面ｆ近くまで下がって待機するため、磁力を十分に及ぼしめて第３凸状部材２５を吸引して入れ子式にガイド突起１５を鉛直に立ち上げ、第３凸状部材２５の係合板部２５ａをガイドレール４０の係合リブ４０ｂに確実に係合させることができる。従って、たとえ引戸１０と床面ｆ間の隙間ｄが大きいために引戸側の磁石Ｍと床Ｆ側のガイド突起１５とが離れ過ぎないように、例えば引戸をわざわざ取り外し、床面ｆとの間の隙間を調整する作業が必要でなくなり、また、磁力が離れたガイド突起１５まで及ぶように、元々高価な磁石Ｍをより大型な強磁性のものにわざわざ取り替える必要もなくなるため、それだけコストを著しく低減することもできる。
【００４１】
他方、引戸ガイド装置Ｒでは、図９（Ｂ）に示すように、引戸１０と床面ｆとの間の隙間ｄが小さい場合には、磁着手段２９・３０の吸着台４５は、先端の当接部４５ｂが床面ｆに当接するが、吸着台４５は、収納ケース３５内で基端部を枢支して揺動自在に片持ちして自由状態にあるため、開閉時、引戸１０を移動するときに摩擦抵抗が少なく先端の当接部４５ａにおいて床面ｆ上をスリップしながら走行し、これにより、引戸１０と床面ｆとの間の隙間ｄが小さい場合でも、引戸１０の走行の妨げになることなく、引戸１０を横振れしないように案内することができる。
【符号の説明】
【００４２】
Ｆ                床
Ｇ１              床側ガイド
Ｇ２              扉側ガイド
Ｒ                引戸ガイド装置
Ｓ                開口部
Ｍ                磁石
ａ・ｂ・ｃ        ガイド体
ｘ・ｙ・ｚ        取付穴
１０              引戸
１０ａ            引戸の下端面
１２              ガイド溝
１４              取付ケース
１５              ガイド突起
２３              第１凸状部材
２４              第２凸状部材
２５              第３凸状部材
２９・３０        磁着手段
３２              昇降口
３５              収納ケース
３５ｅ            係止段部
４０              ガイドレール
４０ｂ            係合リブ
４５              吸着台
４５ｂ            当接部
４５ｃ            係止軸
【要約】
【課題】引戸と床面との間の隙間の大きさに違いがあっても、その隙間の調整や磁石の取り替えなどの必要がない安価な引戸ガイド装置を提供する。
【解決手段】引戸ガイド装置Ｒは、扉側ガイドＧ２において、磁着手段２９・３０の吸着台４５を、先端の当接部４５ｂが収納ケース３５の昇降口３２から所定高さ突出する傾斜角度位置に傾けて保持し、先端の当接部４５ｂ上に載った磁石Ｍが床面ｆ近くの高さまで下がって待機し、引戸１０が床面との間に大きく隙間ｄを開けて吊り込まれていても、磁力により磁性体からなる第３凸状部材２５を吸引して入れ子式に床側ガイドＧ１のガイド突起１５を立ち上げ、第３凸状部材２５の係合板部２５ａをガイドレール４０の係合リブ４０ｂに係合させて引戸１０を案内する構成になっている。
【選択図】          図１【図１】
0004708503.tif 000002
【図２】
0004708503.tif 000003
【図３】
0004708503.tif 000004
【図４】
0004708503.tif 000005
【図５】
0004708503.tif 000006
【図６】
0004708503.tif 000007
【図７】
0004708503.tif 000008
【図８】
0004708503.tif 000009
【図９】
0004708503.tif 000010
【図１０】
0004708503.tif 000011
【図１１】
0004708503.tif 000012
【図１２】
0004708503.tif 000013
【図１３】
0004708503.tif 000014
【図１４】
0004708503.tif 000015